(57)【要約】【課題】画像入力手段からの画像信号と画像合成手段にて合成する際に同じ解像度の第２の画像信号を迅速に準備することができるようにし、全体の処理効率を高める。【解決手段】複数の解像度の第１の画像及び当該画像に合成される第２の画像を入力可能な画像入力手段と、前記画像入力手段により入力された画像と前記第２の画像との画像合成を行う画像合成手段と、前記第２の画像を記憶する画像記憶手段と、前記第２の画像の入力要求を通知する通知手段とを備え、前記通知手段は、前記画像入力手段により入力された前記第２の画像を前記記憶手段に記憶した後、前記画像入力手段により入力可能な画像の解像度が当該第２の画像の解像度の他にある場合は、その他の解像度に応じた第２の画像の入力要求を通知する（ステップ２０２→２０９→２１２→２０２）。【選択図】図１１
2007055265.tif 000002
【特許請求の範囲】
【請求項１】
複数の解像度の第１の画像及び当該画像に合成される第２の画像を入力可能な画像入力手段と、
前記画像入力手段により入力された画像と前記第２の画像との画像合成を行う画像合成手段と、
前記第２の画像を記憶する画像記憶手段と、
前記第２の画像の入力要求を通知する通知手段と、
を有する画像形成装置において、
前記通知手段は、前記画像入力手段により入力された前記第２の画像を前記記憶手段に記憶した後、前記画像入力手段により入力可能な画像の解像度が当該第２の画像の解像度の他にある場合は、その他の解像度に応じた第２の画像の入力要求を通知することを特徴とする画像形成装置。
【発明の詳細な説明】
【技術分野】
【０００１】
本発明は、入力される複数の画像信号を記憶し、記憶した画像信号から所望の画像信号を選択して出力する画像形成装置に関する。
【背景技術】
【０００２】
昨今、コピー機能、プリンタ機能、スキャン画像データの蓄積および印刷機能、ファクシミリ機能などを複合的に備えた所謂デジタル複写器とも称される画像形成装置が普及してきている。この種の装置では、入力された画像情報を一旦メモリに格納し、読み出し要求に応じて読み出して所定もしくは所望の画像形成を行うようになっている。
【０００３】
このようにメモリに画像情報を一旦格納し、読み出して使用することから、共有資源たるメモリを複数のアプリケーションで同時に使用することもある。このような場合のメモリ管理方法として例えば特開平１０−７４１６３号公報、特開平７−１７５９１６号公報、あるいは特開平７−２７３９５７号公報などに開示された技術が公知である。
【０００４】
このうち、特開平１０−７４１６３号公報には、コピーアプリケーションに加え、プリンタアプリケーションやＦＡＸアプリケーションなどの複数のアプリケーションと、複写機を構成する各部を機能単位で共有資源として管理し、１つの共有資源を複数のアプリケーションで同時に使用する際の調停を行うシステムコントローラ部とを有するデジタル複写機において、共有資源の１つとして配置されたメモリユニットとメモリユニットに対する入出力制御を行うメモリコントローラを備え、システムコントローラが複数のアプリケーションでメモリコントローラ及びメモリユニットを同時に使用するときに調停を行うように構成されてい
る。これにより、メモリユニットを共有資源として扱えるようにして、装置のコスト低減及びメモリの有効利用を図ることができるという効果を得ている。
【０００５】
また、特開平７−１７５９１６号公報には、該当する機能が必要とするメモリ容量と現在のメモリの空き容量とを比較し、前者の方が大きい場合、未使用機能のファイルを一時的に外部記憶装置に退避させることによって機能実行のためにメモリ容量を大幅に増やすことなく各機能を並行して処理できるようにした技術が開示されている。
【０００６】
さらに、特開平７−２７３９５７号公報には、ＦＡＸ送受信機能、ＬＡＮ送受信機能、電子ソート複写機能、画像登録及び画像検索機能毎にページメモリ部の記憶容量を配分した記憶エリアを設定し、各機能毎の記憶エリアの使用情況を記憶して、使用情況に応じて各機能毎の記憶容量の配分内容を変更するようにした技術が開示されている。この技術によれば、種々の機能に対してページメモリ部を共有して使用する場合、各機能の利用情況に応じてページメモリの利用領域を変更することが可能となりページメモリの有効利用が図られるという効果を得ている。
【発明の開示】
【発明が解決しようとする課題】
【０００７】
入力された複数の画像データを保存し、入力の順番とは異なる順序で複数組みの出力を行う（ソート動作）、もしくは複数の入力データを１回の画像出力で（集約して）出力するような機能を有する画像形成装置においては、画像データの保存を行うための記憶手段に要求される記憶容量は処理を行う画像データの量に応じて増大する。
【０００８】
複写機、ファクシミリ、プリンタ、スキャナ等の画像入出力機能を備えた複合機においては、プリンタの画像信号の出力中にファクシミリの送信を同時に行う等、複数の画像信号の入出力を同時に実行すると言った並行動作も要求される。
【０００９】
このような並行動作を実現する場合、従来ではそれぞれの画像信号の入出力を制御する手段に記憶手段を設けることにより動作を達成していることが多い。前述のように記憶手段に要求される記憶容量が増大すると、それぞれの画像信号の入出力を制御する手段に記憶手段の記憶容量が大きくなり、かつ記憶装置の制御も複雑になってしまう。そこで、単一の記憶手段に複数の画像入出力を行う構成にすることにより、記憶手段の制御を一元化して複合機能の画像の入出力を行うことが必須となる。
【００１０】
入力された画像信号に対して、日付やページ等のキャラクタデータ、さらには操作者が要求する任意の付加情報（社印、住所、電話番号、レターヘッド等）といった付加的な画像信号を合成して出力する機能を実現する場合には、付加情報を記憶装置に保存しておき、必要に応じてこれを読み出して入力画像信号との合成を行う手段が用いられる。これは、記憶手段以外に付加情報を保存するための装置が不要であり、付加情報の管理に関しても、入力画像信号と同じ記憶手段に保存し、管理することで、入力画像信号の管理と同様の処理が可能になるため、特別な処理を追加することなく簡易な方式で機能を実現することができる。なお、本明細書で第２の画像情報と特定している画像情報は、前記任意の付加情報に
対応している。
【００１１】
ファクシミリ、プリンタ等の画像入出力機器が接続された場合には、各々入力される画像情報の解像度が異なるため、付加情報画像の合成を行う際に入力画像信号の解像度に応じた付加情報画像信号が必要になる。
【００１２】
一方、画像信号を保存する場合、画像信号固有の属性情報、記憶された領域の情報（先頭アドレス等）等の管理データを作成し、保存する必要がある。管理データの保存を画像信号と同じ記憶手段に行う場合、例えば記憶手段にＨＤＤ等の記憶媒体を使用すると、半導体メモリ等の記憶素子と比較してデータの書込み／読み出しの速度が遅く、また画像信号の入出力動作と、管理データの処理が同時に発生すると、管理データの処理に要する時間が余分かかり、記憶手段全体の処理効率が低下してしまう。
【００１３】
そこで、本発明の目的は、画像入力手段からの画像信号と画像合成手段にて合成する際に同じ解像度の第２の画像信号を迅速に準備することができるようにし、全体の処理効率を高めることが可能な画像形成装置を提供することにある。
【課題を解決するための手段】
【００１４】
前記目的を達成するため、本発明は、複数の解像度の第１の画像及び当該画像に合成される第２の画像を入力可能な画像入力手段と、前記画像入力手段により入力された画像と前記第２の画像との画像合成を行う画像合成手段と、前記第２の画像を記憶する画像記憶手段と、前記第２の画像の入力要求を通知する通知手段と、を有する画像形成装置において、前記通知手段は、前記画像入力手段により入力された前記第２の画像を前記記憶手段に記憶した後、前記画像入力手段により入力可能な画像の解像度が当該第２の画像の解像度の他にある場合は、その他の解像度に応じた第２の画像の入力要求を通知することを特徴とする。
【発明の効果】
【００１５】
本発明によれば、画像入力手段からの画像信号と画像合成手段にて合成する際に同じ解像度の第２の画像信号を準備することが可能になり、これによって画像形成装置の全体の処理効率を高めることができる。
【発明を実施するための最良の形態】
【００１６】
以下、図面を参照し、本発明の実施の形態について説明する。
【００１７】
＜第１の実施形態＞
図１は本発明の第１の実施形態に係る画像形成装置を示す概略構成図である。
【００１８】
なお、前記請求項１ないし４に係る発明がこの第１の実施形態に対応している。
【００１９】
図１に示すように自動原稿送り装置（以下、「ＡＤＦ」と称する。）１の原稿台２に原稿の画像面を下にして置かれた原稿束は、操作部３０（図２）上のプリントキー（スタートキー）３４が押下されると、最下位の原稿から給送ローラ３および給送ベルト４によってコンタクトガラス６上の所定の読み取り位置に給送される。読み取りユニット５０によってコンタクトガラス６上の原稿の画像データを読み取った後、読み取りが終了した原稿は給送ベルト４および排送ローラ５によって排出される。さらに、原稿セット検知センサ７によって原稿台２に次の原稿があることを検知した場合、次原稿は前原稿と同様にコンタクトガラス６上に給送される。給送ローラ３、給送ベルト４および排送ローラ５は図４に示す搬送モータ２６によって駆動される。
【００２０】
第１トレイ８、第２トレイ９、第３トレイ１０に積載された転写紙は、各々第１給紙装置１１、第２給紙装置１２、第３給紙装置１３によって給紙され、縦搬送ユニット１４によって感光体１５に当接する位置まで搬送される。読み取りユニット５０によって読み取られた画像データは、書き込みユニット５７からのレーザ光によって感光体１５に書き込まれ、現像ユニット２７を通過することによってトナー像が形成される。転写紙は感光体１５の回転と等速で搬送ベルト１６によって搬送されながら感光体１５上のトナーが転写される。その後、定着ユニット１７によって転写紙に画像を定着させ、排紙ユニット１８によってフィニッシャ（後処理装置）１００のスタッカ・トレイ１０３あるいはステープル・トレイ１０８上に排出される。
【００２１】
フィニシャ１００は、本体の排紙ユニット１８によって搬送された転写紙を、スタッカ搬送（通常排紙）ローラ１０２方向あるいはステープル処理部方向へ任意に導くことができる。すなわち、分岐偏向板１０１を切り換え、上側の経路を開放することにより、スタッカ搬送ローラ１０２およびスタッカ排紙ローラ１０３を経由してスタッカ・トレイ１０４側に転写紙を排紙することができる。また、分岐偏向板１０１を切り換えて下側の経路を開放することによって、ステープラ搬送ローラ１０５およびステープラ排紙ローラ１０７を経由して、ステープル・トレイ１０８に転写紙を搬送することができる。ステープル・トレイ１０８に積載された転写紙は、１枚排紙されるごとに図示しない紙揃え用のジョガーによって、紙端面が揃えられ、一部のコピー完了と共にステープラ１０６によって綴じられる。ステープラ１０６で綴じられた転写紙群は落下ストッパ１０９によって搬送方向後端部の転写紙の位置が規制され、位置決めされている。そこで、この落下ストッパ１０９を開放すると、転写紙群の自重によって落下し、落下トレイ１１０に収納される。
【００２２】
一方、通常の排紙トレイとして機能するスタッカ・トレイ１０４は前後に移動可能な排紙トレイであり、原稿毎、あるいは、画像メモリによってソーティングされたコピー部毎に、前後に移動し、簡易的に排出されてくるコピー紙を仕分ける機能を備えている。
【００２３】
転写紙の両面に画像を形成する場合には、各給紙トレイ８〜１０から給紙され、作像された転写紙をフィニッシャ１００側に導かないで、経路切り換えのための分岐爪１１２を上側にセットすることによって一旦両面給紙ユニット１１１に送り、当該ユニット１１１にストックする。その後、両面給紙ユニット１１１にストックされた転写紙は再び感光体１５に作像されたトナー画像を転写するために両面給紙ユニット１１１から縦搬送ユニット１４に送られて再給紙され、転写紙の裏面に画像を形成した後、反転爪１１２を下側にセットし、フィニッシャ１００側に導く。このように転写紙の両面に画像を形成する場合に、両面給紙ユニット１１１は使用される。
【００２４】
感光体１５、搬送ベルト１６、定着ユニット１７、排紙ユニット１８および現像ユニット２７はメインモータ２５（図４）によって駆動され、各給紙ユニット１１〜１３はメインモータ２５の駆動力を各々給紙クラッチ２２，２３，２４によって伝達制御される。縦搬送ユニット１４はメインモータ２５の駆動力を中間クラッチ２１によって伝達制御される。
【００２５】
図２は操作部３０を示す図である。同図において、操作部３０には、液晶タッチパネル（ディスプレイ）３１、テンキー３２、クリア／ストップキー３３、プリントキー３４、モードクリアキー３５および初期設定キー３８が設けられており、液晶タッチパネル３１にはモード設定用機能キー３７、部数および画像形成装置の状態を示すメッセージなどが表示される。
【００２６】
図３は操作部３０の液晶タッチパネル３１の表示の一例を示す図である。同図からわかるようにオペレータが液晶タッチパネル３１に表示されたキーにタッチすることで、選択された機能を示すキーが黒く反転する。また、例えば変倍を行うときの変倍値などのように機能の詳細を指定しなければならない場合は、キーにタッチすることで詳細機能の設定画面が表示される。このように液晶タッチパネルは、ドット表示装置を使用しているため、そのときの最適な表示をグラフィカルに行うことが可能になっている。
【００２７】
図４はメインコントローラを中心に制御装置を示したものである。同図においてメインコントローラ２０は画像形成装置全体を制御するもので、メインコントローラ２０には、オペレータに対する表示、オペレータからの機能設定入力制御を行うための操作部３０、スキャナの制御、原稿画像を画像メモリに書き込む制御、および画像メモリからの作像を行う制御などを行う画像処理ユニット（ＩＰＵ）４９、原稿自動送り装置（ＡＤＦ）１などの分散制御装置が接続されている。各分散制御装置とメインコントローラ２０とは、必要に応じて機械の状態、動作指令のやり取りを行っている。また、紙搬送等に必要なメインモータ２５および搬送モータ２６、並びに各種クラッチ２１〜２４も接続されている。
【００２８】
以下、大略前述のように構成された画像形成装置における画像を読み取って感光体の記録面上に潜像を形成するまでの動作について説明する。なお、ここでいう潜像とは、感光体面上に画像を光情報に変換して照射することによって生じる電位分布のことである。
【００２９】
読み取りユニット５０は、図１に示すように原稿を載置するコンタクトガラス６と光学走査系で構成され、光学走査系は露光ランプ５１、第１ミラー５２、レンズ５３、ＣＣＤイメージセンサ５４、第２ミラー５５および第３ミラー５６などからなっている。露光ランプ５１および第１ミラー５２は図示しない第１キャリッジ上に固定され、第２ミラー５５および第３ミラー５６は図示しない第２キャリッジ上に固定されている。原稿を読み取る際には、光路長が変化しないように第１キャリッジと第２キャリッジとは２対１の相対速度で機械的に走査される。この光学走査系は図示しないスキャナ駆動モータによって駆動される。
【００３０】
原稿画像はＣＣＤイメージセンサ５４によって読み取られ、光信号から電気信号に変換されて処理される。レンズ５３およびＣＣＤイメージセンサ５４を図１において左右方向に移動させると画像倍率を変化させることができる。すなわち、指定された倍率に対応してレンズ５３およびＣＣＤイメージセンサ５４の図において左右方向の位置が設定される。
【００３１】
書き込みユニット５７は、図１に示すように  レーザ出力ユニット５８、結像レンズ５９およびミラー６０で構成され、レーザ出力ユニット５８の内部には、レーザ光源であるレーザダイオードおよびモータによって高速で定速回転するポリゴンミラーが設けられている。
【００３２】
レーザ出力ユニット５８から照射されるレーザ光は、前記定速回転するポリゴンミラーによって偏向され、結像レンズ５９を通ってミラー６０で折り返され、感光体１５面上に集光されて結像する。偏向されたレーザ光は感光体１５が回転する方向と直交する所謂主走査方向に露光走査され、後述する画像処理部のセレクタ６４によって出力された画像信号のライン単位の記録を行う。そして、感光体１５の回転速度と記録密度に対応した所定の周期で主走査を繰り返すことによって感光体１５面上に画像、すなわち静電潜像が形成される。
【００３３】
このように書き込みユニット５７から出力されるレーザ光が、画像作像系の感光体１５に照射されるが、図示しない感光体１５の一端近傍のレーザ光の照射位置に主走査同期信号を発生するビームセンサが配されている。このビームセンサから出力される主走査同期信号に基づいて主走査方向の画像記録タイミングの制御、および後述する画像信号の入出力用の制御信号の生成が行われる。
【００３４】
画像処理ユニット（ＩＰＵ）４９の構成について図５を参照して説明する。
【００３５】
露光ランプ５１から照射された照明光は原稿面に照射されて原稿面で反射する。その反射光は図示しない結像レンズによって結像され、ＣＣＤイメージセンサ５４の受光面に入射して光電変換され、Ａ／Ｄコンバータ６１によってディジタル信号に変換される。ディジタル信号に変換された画像信号はシェーディング補正部６２でシェーディング補正がなされた後、画像処理部６３においてＭＴＦ補正、γ補正などが行われる。画像処理部６３から画像処理された信号がセレクタ６４に送られ、セレクタ６４によって変倍部６１か画像メモリコントローラ６５のいずれかが選択される。変倍部７１側に送られた画像信号は、変倍率に合わせて拡大縮小され、書き込みユニット５７に送られる。
【００３６】
画像メモリコントローラ６５とセレクタ６４間は双方向に画像信号を入出力可能な構成となっている。図５には明示していないが、画像処理ユニット４９には、読み取り部５０から入力される画像データ以外にも外部から供給される画像データも処理できるように複数のデータの入出力の選択を行う機能も設けられている。なお、前記外部から供給される画像データとは、例えばパーソナルコンピュータなどのデータ処理装置出力されるデータである。したがって、入力信号としてはスキャナで読み取ったものの他に、外部機器からの入力信号も含まれる。また、画像処理ユニット４９は画像メモリコントローラ６５などへの設定や、読み取り部５０および書き込み部５７の制御を行うＣＰＵ６８や、ＣＰＵ６８のプログラムやデータを格納するＲＯＭ６９およびダイナミックなデータを記憶するとともに、ＣＰＵ６８のワークエリアとしても機能するＲＡＭ７０を備えている。
【００３７】
なお、ＣＰＵ６８は画像メモリコントローラ６５を介して画像メモリ６６のデータの書き込みおよび読み出しを行うことができる。また、これらの各部はＩ／Ｏポート６７を介して外部との通信を行うようになっており、画像データの入出力はＩ／Ｏポート６７を介して行われる。
【００３８】
ここで、図６のタイミングチャートを参照して、セレクタ６４における１ページ分の画像信号について説明する。
【００３９】
／ＦＧＡＴＥは１ページの画像データの副走査方向の有効期間を表している。
【００４０】
／ＬＳＹＮＣは１ライン毎の主走査同期信号であり、この信号が立ち上がった後の所定クロックで画像信号が有効となる。／ＬＧＡＴＥは、主走査方向の画像信号が有効であることを示す信号である。これらの信号は画素クロックＶＣＬＫに同期しており、ＶＣＬＫの１周期に対して１画素のデータが送られてくる。ＩＰＵ４９は、画像入力、画像出力のそれぞれに対して別個の／ＦＧＡＴＥ、／ＬＳＹＮＣ、／ＬＧＡＴＥ、ＶＣＬＫの発生機構を有しており、読み取った画像の直接出力を行う場合などの位相調整などを行うことにより、様々な画像入出力の組み合わせが実現可能となる。
【００４１】
図７は図５におけるメモリコントローラ６５と画像メモリ６６の内部構成を詳細に示すブロック図であり、本発明における記憶手段の個々の記憶部（記憶装置）の詳細を示している。同図において、メモリコントローラ６５のデータ入出力制御部６５０は、入力データセレクタ６５１、画像合成部６５２、１次圧縮／伸張部６５３、出力データセクタ６５４、及び２次圧縮／伸張部６５５を備えている。これらの各部への制御データの設定はＣＰＵ６８によって行われる。図５におけるアドレス及びデータは画像データに対するものを示しており、ＣＰＵ６８に接続されるデータ及びアドレスは図示していない。
【００４２】
画像メモリ６６は１次及び２次記憶部６６１，６６２からなる。１次記憶部６６１はメモリの指定した領域へのデータ書き込みまたは画像出力時のメモリの指定した領域からのデータ読み出しが画像データの入力／出力時に要求されるデータ転送速度に略同期して行えるようにＤＲＡＭ等の高速アクセスが可能なメモリを使用する。また、１次記憶部６６１は処理を行う画像データの大きさにより複数のエリアに分割して画像データの入出力を同時に実行可能なようにメモリコントローラ２０とのインターフェイス部を備えている。
【００４３】
２次記憶部６６２は大容量の不揮発メモリであり、入力された画像の合成やソーティング、及びデータ蓄積に用いられる。１次記憶部６６１が画像データの処理を行うために十分な容量を有し、かつ、不揮発性のものであれば２次記憶部６６２へのデータの入出力は行う必要がない。また、２次記憶部６６２が画像入出力時に要求されるデータ転送速度に略同期してデータの書き込み／読み出しが可能であれば、２次記憶部６６２への直接のデータの書き込み／読み出しは可能である。このような場合には、１次、２次の区別なくデータの処理を行うことが可能となる。
【００４４】
２次記憶部６６２が画像入出力時に要求されるデータ転送速度に略同期してデータの書き込み／読み出しが可能でない場合、例えば２次記憶部６６２にハードディスクや光磁気ディスク等の記憶媒体を使用した場合でも、２次記憶部６６２へのデータの入出力については１次記憶部６６１を介在させることによって２次記憶部６６２のデータ転送能力に応じて処理することが可能になる。
【００４５】
このような構成により、画像形成装置の画像データ処理速度に応じて記憶素子を選択でき、また、圧縮率、伸張率が画像データによって異なる方式、すなわち、データの種類によってメモリへのデータアクセス速度が異なるような方式を採用しても対応可能となる。
【００４６】
メモリコントローラ６５の動作としては、例えば以下のようになる。なお、ここでは、２次記憶部６６２が画像入出力時に要求されるデータ転送速度に略同期してデータの書き込み／読み出しができない場合の例である。
【００４７】
（１）画像入力（画像メモリへの保存）
入力データセレクタ６５１は複数のデータのうちから、画像メモリ６６（１次記憶部６６１）への書き込みを行う画像データの選択を行う。入力データセレクタ６５１によって選択された画像データは画像合成部６５２に供給され、必要に応じて画像合成が行われる。画像合成部６５２で処理された画像データは、１次圧縮／伸張部６５３でデータ圧縮され、圧縮後のデータが１次記憶部６６１に書き込まれる。１次記憶部６６１に書き込まれたデータは必要に応じて２次圧縮／伸張部６５５でさらに圧縮された後、２次記憶部６６２に保存される。
【００４８】
（２）画像出力（画像メモリーからの読み出し）
画像出力時は、１次記憶部６６１に記憶されている画像データの読み出しを行う。出力対象となる画像が１次記憶部６６１に格納されている場合には、１次圧縮／伸張部６５３で１次記憶部６６１の画像データの伸張を行い、伸張後のデータ、もしくは伸張後のデータと入力データとの画像合成を行った後のデータを出力データセレクタ６５４で選択し、出力する。
【００４９】
画像合成部６５２は、１次記憶部６６１のデータと、入力データとの合成（画像データの位相調整機能を有する）、合成後のデータの出力先の選択（画像出力、１次記憶部６６１へのライトバック、両方の出力先への同時出力も可能）等の処理を行う。
【００５０】
出力対象となる画像が１次記憶部６６１に格納されていない場合には、２次記憶部６６２に格納されている出力対象画像データを２次圧縮／伸張部６５５で伸張を行い、伸張後のデータを１次記憶部６６１に書き込んでから、前述の画像出力動作を行う。
【００５１】
図８はこの第１の実施形態における記憶手段の１つの構成例を示すブロック図、図９は画像信号を記憶手段に入力する場合のタイミングチャートである。
【００５２】
前記記憶手段は、第１、第２の２個の記憶装置（データ入出力制御部８０３ａ，８０３ｂと、画像メモリ８０４ａ，８０４ｂの組）８００ａ，８００ｂを有する構成になっている。各記憶装置８００ａ，８００ｂのデータ入出力制御部８０３ａ，８０３ｂは図７のデータ入出力制御部６５０に対応する。２個の記憶装置８００ａ，８００ｂの入出力データは、入力データセレクタ８０１に入力データ、出力データセレクタ８０２に出力データが接続される。さらに入力データセレクタ８０１には記憶手段の外部入力データ１，２が接続されており、記憶装置８００ａ，８００ｂからの入力データを含めた４入力を記憶装置１，２へ選択して出力する４入力２出力のセレクタになっている。また、入力データセレクタ８０１に第１および第２の記憶装置８００ａ，８００ｂの出力データが接続されているので、第１の記憶装置８００ａのデータを第２の記憶装置８００ｂへ出力するなどの記憶装置間のデータ入出力が可能である。
【００５３】
一方、出力データセレクタ８０２は第１および第２の記憶装置８００ａ，８００ｂの出力データを外部への出力データ１，２に選択的に出力できる２入力２出力のセレクタである。
【００５４】
このように、記憶手段（画像メモリ６６）に複数の記憶装置を設けることで、複数の画像信号の入出力を同時に行うことができる。図９は複数の画像信号を記憶手段（画像メモリ６６）に入力する場合に、記憶装置が１個のときの動作（図９（ａ））と、２個の場合の動作（図９（ｂ））のタイミングチャートである。
【００５５】
図９（ａ）において、データ入力１の１番目のデータ入力と、データ入力２の１番目のデータ入力の要求が同時に発生しても、記憶装置が１個のため、２個の要求に対していずれか一方のデータ入力しか行えない（図９（ａ）ではデータ入力１）ため、同時に発生したデータ入力２の要求に対して実際に入力動作を実行するタイミングは図９（ａ）の”タイミング１”になってしまう。以下、続けてデータ入力１の２番目の画像入力の要求に対してもデータ入力２の動作が終了するまではデータ入力動作を開始できない。これに対し、本実施形態の記憶手段の様に記憶装置を複数設ければ図９（ｂ）に示す通りデータ入力１に対しては第１の記憶装置８００ａを、データ入力２に対しては第２の記憶装置８００ｂへデータを入力することで、同時に２個のデータ入力が行われ、動作終了までの時間も大幅に短縮できる。
【００５６】
入力データセレクタ８０１、および出力データセレクタ８０２の前段には画像合成部（不図示）が配置され、記憶装置に入力された画像信号、第１の記憶装置８００ａ、および第２の記憶装置８００ｂに保存された画像信号の合成を行う。
【００５７】
画像合成には以下のような動作が可能である。
【００５８】
１）入力画像信号と、第１の記憶装置８００ａの１次記憶部（１次記憶部６６１、以下、同様）に保存された画像信号とを合成し、出力する。
【００５９】
２）入力画像信号と、第２の記憶装置８００ｂの１次記憶部に保存された画像信号とを合成し、出力する。
【００６０】
３）第１の記憶装置８００ａに保存された画像信号と、第２の記憶装置８００ｂに保存された画像信号とを合成し、出力する。
【００６１】
４）入力画像信号と、第１の記憶装置８００ａの１次記憶部に保存された画像信号とを合成し、第１の記憶装置８００ａの１次記憶部のすでに保存された画像信号とは異なる領域に保存する。
【００６２】
５）入力画像信号と、第１の記憶装置８００ａの１次記憶部に保存された画像信号とを合成し、第１の記憶装置８００ａの１次記憶部のすでに保存された画像信号と同一の領域に保存（上書き）する。
【００６３】
６）入力画像信号と、第１の記憶装置８００ａの１次記憶部に保存された画像信号とを合成し、第２の記憶装置８００ｂの１次記憶部に保存する。
【００６４】
７）第１の記憶装置８００ａに保存された画像信号と、第２の記憶装置８００ｂに保存された画像信号とを合成し、第１の記憶装置８００ａの１次記憶部のすでに保存された画像信号とは異なる領域に保存する。
【００６５】
８）第１の記憶装置８００ａに保存された画像信号と、第２の記憶装置８００ｂに保存された画像信号とを合成し、第１の記憶装置８００ａの１次記憶部のすでに保存された画像信号と同一の領域に保存（上書き）する。
【００６６】
９）入力画像信号と、第２の記憶装置８００ｂの１次記憶部に保存された画像信号とを合成し、第２の記憶装置８００ｂの１次記憶部のすでに保存された画像信号とは異なる領域に保存する。
【００６７】
１０）入力画像信号と、第２の記憶装置８００ｂの１次記憶部に保存された画像信号とを合成し、第２の記憶装置８００ｂの１次記憶部のすでに保存された画像信号と同一の領域に保存（上書き）する。
【００６８】
１１）入力画像信号と、第２の記憶装置８００ｂの１次記憶部に保存された画像信号とを合成し、第１の記憶装置８００ａの１次記憶部に保存する。
【００６９】
１２）第１の記憶装置８００ａに保存された画像信号と、第２の記憶装置８００ｂに保存された画像信号とを合成し、第２の記憶装置８００ｂの１次記憶部のすでに保存された画像信号とは異なる領域に保存する。
【００７０】
１３）第１の記憶装置８００ａに保存された画像信号と、第２の記憶装置８００ｂに保存された画像信号とを合成し、第２の記憶装置８００ｂの１次記憶部のすでに保存された画像信号と同一の領域に保存（上書き）する。
【００７１】
図１０はＣＰＵ６８ｂによって制御されるこの実施形態における画像信号入力動作の詳細を示すフローチャートである。
【００７２】
図１０のフローチャートを用いて第１の実施形態における画像入力手段からの画像信号と画像合成手段に記憶された第２の画像信号と合成させた画像信号を記憶手段へ入力する動作を説明する。
【００７３】
この入力動作では、処理が開始されると、まず、記憶手段へのデータ入力要求があるか否かを判別する（ステップ１０１）。
【００７４】
データ入力要求がない場合にはその後の処理をスキップして終了する。データ入力要求がある場合には要求されたパラメータを分析し記憶手段の制御方法を決定する（ステップ１０２）。制御方法はパラメータ中のデータサイズ、モード、保存の必要性等から記憶装置内のリソースをどのように使用すれば良いかを決定する。このとき記憶装置内の第２の画像信号と合成を行う場合は画像合成手段も取得リソース対象としておく。
【００７５】
ステップ１０２で記憶手段の制御方法が決定したら、その結果に基づいて選択された記憶装置と画像合成手段の状態を検出する（ステップ１０３）。状態の検出は、指定された記憶装置に対しては画像入力が可能か否かを行う。具体的には記憶装置が未使用の状態であれば実行可能と判断し、使用中であれば、実行不可能と判断する。画像合成手段に対しては合成が可能か否かを行う。具体的には画像合成手段が未使用の状態であれば実行可能と判断し、使用中であれば、実行不可能と判断する。
【００７６】
そして、ステップ１０３の結果を元に実行可能かを判定する（ステップ１０４）。実行不可能ならば再度、ステップ１０３へ戻り、再度記憶装置と画像合成手段の状態を検出する。本実施形態では特に明記しないが、一定期間記憶装置と画像合成手段の状態を検出しても常に実行不可能である場合には、その後の処理をスキップして終了するような処理を行うことも可能である。
【００７７】
ステップ１０４において前記画像信号の入力動作が実行可能と判断したら、選択した記憶装置と画像合成手段を取得する（ステップ１０５）。取得することにより選択された記憶装置と画像合成手段の状態は使用中となり、画像信号の入力が完了するか、中断されるまでは他の画像信号の入出力の処理と画像合成処理は禁止される。
【００７８】
記憶装置と画像合成手段を取得したら、前記画像信号の入力動作を実行するための前処理としてまず、画像入力手段（ＣＣＤ５４）から入力される画像信号と画像合成手段にて画像合成するための第２の画像信号を、選択された記憶装置から画像合成手段に転送する。このとき画像入力手段では複数の解像度の画像入力が可能なため第２の画像信号も同じ解像度の画像信号を準備しておく（ステップ１０６）。準備完了後、転送するためのパラメータを画像合成手段と記憶装置に設定し、第２の画像信号の転送を行う（ステップ１０７）。最後に記憶装置には通常のデータ入力用のパラメータを設定を行い、画像合成手段には画像入力手段から入力される画像信号と画像合成手段内に記憶された第２の画像信号を合成させるためのパラメータを設定（ステップ１０８）し、全ての準備が完了したら、データ入力実行準備完了通知を行なう（ステップ１０９）。データ入力実行準備完了の通知後は、要求元からのデータ入力実行要求を待つ（ステップ１１０）。
【００７９】
実行要求がある場合には、データ入力動作を実行する（ステップ１１１）。ない場合にはデータ入力実行要求があるまで監視を継続する。
【００８０】
次にデータ入力実行状態を監視し（ステップ１１２）、終了したら後処理として記憶装置と画像合成手段の解放を行ない（ステップ１１３）、最後にデータ入力実行完了通知を行なって（ステップ１１４）処理を終了する。
【００８１】
なお、この図１０のフローチャートに示した処理（動作）は、請求項１に対応している。
【００８２】
図１１は第１の実施形態における他の処理手順を示すフローチャートで、画像入力手段から入出力可能な全ての解像度の第２の画像信号を入力して記憶装置に保存する動作について、この図１１を参照して説明する。
【００８３】
処理が開始されると、まず接続された複数の記憶装置の中から第２の画像信号の入力を行う記憶装置を指定する（ステップ２０１）。処理の開始時には、いずれの記憶装置にも入力対象となる第２の画像信号が存在しないので、記憶装置を選択する順序は特に指定はない。ただし、本実施形態では明記しないが、画像信号の入出力を実行中の記憶装置を避けて指定する手段を設けることも可能である。
【００８４】
ステップ２０１で記憶装置の指定を行った後は、指定した記憶装置に対して第２の画像信号の入力要求通知を行う（ステップ２０２）。画像入力処理を行う手段（ＣＰＵ６８−詳細は図１０で説明）からは、ステップ２０２で通知した入力要求通知に基づきデータ入力準備完了の通知が行われる。ステップ２０３では画像入力処理を行う手段から通知されるデータ入力準備完了の通知の有無を検出し、その結果を元にデータ入力が実行可能かどうかを判定する（ステップ２０４）。通知があった場合にはデータ入力実行要求の通知を行い（ステップ２０５）、なければ再度（ステップ２０３）に戻り画像入力処理を行う手段から通知される
データ入力準備完了の通知を待つ。
【００８５】
ステップ２０５でデータ入力実行要求の通知を行った後は、第２の画像信号の入力が完了するまで次の処理を実行せずに待機する。データ入力準備時と同様、第２の画像信号の入力が完了すると画像入力処理を行う手段からデータ入力終了の通知があるので、ステップ２０６で通知の有無を検出し、その結果によって、待機するか（通知が無い場合）、次ステップの処理に移行するかを判定する（ステップ２０７）。
【００８６】
第２の画像信号入力処理が終了したら、他に入出力可能な解像度がないかどうかを検出する（ステップ２０８）。検出の結果を判断し（ステップ２０９）、未入力の解像度がある場合には、検出した未入力の解像度を指定して（ステップ２１２）、ステップ２０２に戻り、ステップ２０２以降の処理を実行し、第２の画像信号の入力を続行する。そして、 全ての解像度の第２の画像信号入力処理が終了したら、他に第２の画像信号の入力を行っていない記憶装置が無いかどうかを検出する（ステップ２１０）。次いで、検出の結果を判断し（ステップ２１１）、未入力の装置がある場合には、検出した未入力の記憶装置を次の入力対象の記憶装置に指定して（ステップ２１３）、ステップ２０２に戻り第２の画像信号の入力を続行する。ステップ２１１で、 未入力の記憶装置が存在しなければ、そこで処理を終了する。
【００８７】
本実施形態では明記しないが、本手順では１つの記憶装置に対して入出力可能な全ての解像度の第２の画像信号を連続的に保存していったが、１つの解像度の第２の画像信号を複数の記憶装置に保存し終わるまで次の解像度の第２の画像信号の保存処理を行わないようにすることも可能である。
【００８８】
以上のような動作により、画像入力手段からの画像信号と画像合成手段にて合成する際に同じ解像度の第２の画像信号を準備することが可能となる。また、画像形成装置に接続された全ての記憶装置に対して、同一の第２の画像信号の保存が可能になり、第２の画像信号との合成を行う場合に、各記憶装置で独立に第２の画像信号の読み出しや合成の処理を行うことが可能になる。また、第２の画像信号の入力を実行している最中でも、入力動作を行っている記憶装置以外の記憶装置に対しては画像信号の入出力ができるため、通常の画像入出力の処理が可能になるという利点もある。
【００８９】
なお、この図１１の処理を実行する構成が請求項２に対応している。
【００９０】
図１１の処理では  請求項２では第２の画像信号を記憶装置に保存する際、画像入力手段から入力される全ての解像度別の第２の画像信号を保存していたが、保存する際の第２の画像信号は１種類とし記憶装置内部で変倍するように構成することもできる。これにより第２の画像信号を記憶する処理時間の短縮化と記憶領域の縮小化が可能となる。なお、この構成は、請求項３に対応している。
【００９１】
また、保存した第２の画像信号の解像度を画像入力手段から入力される最も低い解像度で記憶し、一致しない場合は記憶装置内で拡大するように構成することもできる。これにより画像記憶装置内に保存する第２の画像信号は最小サイズになるためより多くの第２の画像信号を保存することが可能となる。なお、この構成は、請求項４に対応している。
【００９２】
本実施形態によれば、複数の異なる解像度の画像信号に対して付加情報画像を合成する手段をにより、例えばコピー画像と、プリンタ出力画像などの画像を混在させ、これにページを付加して製本する場合などの冗長な作業と、資源を削減することが可能になる。従来ならば個別に出力した原稿（紙）を作成する必要があったが、本発明によって、画像形成装置に保存された全ての画像情報を、その解像度等に関係なく画像形成装置の内部で自動的に付加情報（画像信号）を合成して最終形態の生成物を作成することが可能となる。
【００９３】
また、本実施形態によれば、対応する全ての解像度に対して個別に最適な付加情報の画像信号（たとえば、文字（フォント）データ等）を保存し、選択する手段を設けることで、低い解像度の画像に対して付加情報を合成する場合でも、画像品質の劣化を最小限に抑え、高品位な画像合成を行うことが可能になる。
【００９４】
また、本実施形態によれば、対応する解像度に応じて付加情報の画像信号を変倍して合成する手段を設けることにより、付加情報の画像信号の容量を少なくすることが可能になる。さらに、画像形成装置で処理可能な解像度が変更された場合でも、画像信号の内容を変更する必要がないため、汎用性の高い機能を提供することができる。
【００９５】
また、本実施形態によれば、付加情報の画像信号を拡大して合成することで、付加情報の画像信号の容量を削減することが可能となる。さらに、画像形成装置における、付加情報を保存するためのメモリ等の記憶媒体の構成（容量）上の制約がある場合にも、機能の低下を招くことがない。
【００９６】
＜第２の実施形態＞
図１２はメモリカード等の外部記憶手段より読み出した画像信号を記憶手段に保存する第２の実施形態における動作を説明するためのフローチャートである。
【００９７】
なお、この第２の実施形態においても、第１の実施形態における図１ないし図９の構成と同等に構成されているので、説明は省略し、動作に関連する事項についてのみ説明する。
【００９８】
この第２の実施形態では、処理が開始されると、まず接続された複数の記憶手段の中から第２の画像信号の入力を行う記憶装置を指定する（ステップ３０１）。処理の開始時には、いずれの記憶手段にも入力対象となる第２の画像信号が存在しないので、記憶装置を選択する順序は特に指定はない。ただし、本実施形態では明記しないが、画像信号の入出力を実行中の記憶手段を避けて指定する手段を設けることも可能である。
【００９９】
ステップ３０１で記憶装置の指定を行った後は、指定した記憶装置に対して第２の画像信号の入力要求通知を行う（ステップ３０２）。指定された記憶装置に対し第２の画像信号の入力要求を元に外部記憶手段に記憶されている第２の画像信号を読み出して保存するためのパラメータを設定する（ステップ３０３）。次に、外部記憶手段から読み出した第２の画像信号を管理するための管理データテーブルを作成する（ステップ３０４）。この管理データテーブルには第２の画像信号を記憶装置の２次記憶部に保存するした際の開始アドレス、最終アドレス、解像度、回転角度、画像信号サイズ等をパラメータとしたものである。管理データテーブルは複数の第２の画像信号を記憶可能とするために配列化し記憶装置の２次記憶部と記憶装置以外の画像形成装置内部にある不揮発メモリに各々同じテーブル数分領域を確保する。第２の画像信号の登録はこの管理データテーブルが空いていれば登録可能だが満杯の場合は次の第２の画像信号を保存しようとしても拒絶させ、必要なら現在管理している第２の画像信号を管理データテーブルから消去し上書きすることで新規の第２の画像信号を登録することが可能となる。
【０１００】
次いで、ステップ３０４において作成した管理データテーブルに空きがあるかどうか検出し（ステップ３０５）、空きがなければ管理データテーブルはフルであるとして登録を拒絶し処理を終了する。空きがあれば、外部記憶手段から第２の画像信号を読み出し、記憶装置に保存する（ステップ３０６）。この保存の終了を検出したら（ステップ３０７：ＹＥＳ）、管理データテーブルを記憶装置と記憶装置以外の画像形成装置内部にある不揮発メモリに保存する（ステップ３０８）。保存する際、記憶装置の２次記憶部と記憶装置以外の画像形成装置内部にある不揮発メモリの両管理データテーブルとも配列中同じ配列番号に蓄積することで処理を単純化させる。
【０１０１】
ステップ３０８で管理データテーブルの保存が終了したら、次の第２の画像信号の有無を検出し（ステップ３０９）、検出の結果を判断する（ステップ３１０）。そして、次の第２の画像信号がある場合は入力要求を検出した次の第２の画像信号に変更し（ステップ３１１）、ステップ３０３に戻って保存処理を続行する。全ての第２の画像信号を保存したら他に第２の画像信号の入力を行っていない記憶装置が無いかどうかを検出する（ステップ３１２）。
【０１０２】
そして、検出の結果を判断し（ステップ３１３）、未入力の装置がある場合には、検出した未入力の記憶手段を次の入力対象の記憶手段に指定し（ステップ３１４）、ステップ３０３に戻って第２の画像信号の保存処理を続行する。もし、ステップ３１３で未入力の記憶手段が存在しなければ、そこで処理を終了する。
【０１０３】
以上のような動作により、外部記憶手段から読み取った第２の画像信号を正確に記憶装置に保存させることが可能となる。
【０１０４】
なお、図１２に示した処理は、請求項５に対応している。
【０１０５】
図１３は、メモリカード等の外部記憶手段より読み出した第２の画像信号を記憶手段の第２の記憶部に保存した第２の画像信号を管理するための管理データテーブルと記憶手段外部の画像形成装置内部にある不揮発メモリに保存した第２の画像信号を管理するための管理データテーブルの比較を行う動作の処理手順を示すフローチャートである。
【０１０６】
この処理では、電源投入時、まず接続された複数の記憶手段の中から記憶手段を指定する（ステップ４０１）。処理の開始時には、いずれの記憶手段にも入力対象となる第２の画像信号が存在しないので、記憶手段を選択する順序は特に指定はない。ただし、本実施形態では明記しないが、画像信号の入出力を実行中の記憶手段を避けて指定する手段を設けることも可能である。
【０１０７】
ステップ４０１で記憶手段の指定を行った後は、指定した記憶手段に対して記憶手段の２次記憶部に保存した第２の画像信号を管理するための管理データテーブルと記憶手段外部の画像形成装置内部にある不揮発メモリに保存した第２の画像信号を管理するための管理データテーブルの比較要求通知を行う（ステップ４０２）。そして、指定された記憶手段に対し第２の画像信号を管理するための管理データテーブルを取得する（ステップ４０３）。次いで、取得終了を検出し、取得が終了したかどうかを判断する（ステップ４０４，４０５）。取得が終了すると、記憶手段外部の画像形成装置内部にある不揮発メモリに保存した第２の画像信号を管理するための管理データテーブルとのパラメータの内容を比較する（ステップ４０６）。比較した結果（ステップ４０７）、ひとつでも一致しない場合はエラーを通知する（ステップ４０８）。一致している場合は次に他に管理データテーブルの比較を行っていない記憶手段がないかどうかを検出する（ステップ４０９）。そして、第２の画像信号がみ入力の記憶装置の有無を検出し（ステップ４１０）、未比較の装置がある場合には、検出した未比較の記憶手段を次の比較対象の記憶手段に指定（ステップ４１２）して、ステップ４０３に戻り記憶手段の第２の画像信号を管理するための管理データテーブルと記憶手段外部の画像形成装置内部にある不揮発メモリの第２の画像信号を管理するための管理テーブルの比較処理を続行する。
【０１０８】
未比較の記憶手段が存在しなければ、そこで処理を終了する。その際、ＣＰＵ６８に全て一致していることを通知してから処理を終了する。
【０１０９】
以上のような動作により、記憶手段の第２の画像信号を管理するための管理データテーブルと記憶手段外部の画像形成装置内部にある不揮発メモリの第２の画像信号を管理するための管理データテーブルを比較することが可能となる。なお、この図１３の処理は請求項６に対応している。
【０１１０】
また、図１３の処理で記憶手段に保存した第２の画像信号を管理するための管理データテーブルと記憶手段外部の画像形成装置内部にある不揮発メモリに保存した第２の画像信号を管理するための管理データテーブルとを比較し、一致しない場合は、記憶装置外部の画像形成装置内部にある不揮発メモリの第２の画像信号を管理するための管理データテーブルを記憶手段に保存した第２の画像信号を管理するための管理データテーブルの値に置き換えるようにすることもできる。
【０１１１】
この処理を図１４のフローチャートに示す。
【０１１２】
このフローチャートは図１３のフローチャートにおけるステップ４０８の処理に代えて、ステップ４０６で記憶手段外部の画像形成装置内部にある不揮発メモリに保存した第２の画像信号を管理するための管理データテーブルとのパラメータの内容を比較し、ステップ４０７で比較した結果、ひとつでも一致しない場合は、記憶手段の第２の画像信号を管理するための管理データテーブルの値を記憶手段外部の画像形成装置内部にある不揮発メモリの第２の画像信号を管理するための管理データテーブルへ複写するようにしたものである（ステップ４０８’）。
【０１１３】
その他の処理は、全て図１３の各処理を同じなので、重複する説明は省略する。なお、この処理は、請求項７に対応している。
【０１１４】
また、図１３のフローチャートで示した処理では、記憶手段にある第２の画像信号を管理するための管理データテーブルと記憶手段外部の画像形成装置内部にある不揮発メモリの第２の画像信号を管理するための管理データテーブルとを比較した結果、一致しない場合は、記憶手段に保存された第２の画像信号は存在しない可能性があるため記憶手段の管理データテーブルを消去するか、記憶手段に保存された第２の画像信号が正しいと判断し、記憶手段にある第２の画像信号を管理するための管理データテーブルを記憶手段外部の画像形成装置内部にある不揮発メモリの第２の画像信号を管理するための管理データテーブルへ複写することのいずれかを選択できるようにしてもよい。この選択は、例えば図１４におけるステップ４１０の処理ステップで行うようにすることができる。
【０１１５】
本実施形態によれば、画像形成装置に接続されたNVRAM等の不揮発メモリに付加情報画像の管理データ（データサイズ、保存領域等）を保存しておくことにより、たとえば記憶手段にＨＤＤ等のデータ転送速度の遅い記憶媒体を利用した場合でも。付加画像情報の合成を行うために必要な処理を高速に行うことが可能となる。結果的に記憶手段の占有時間が短縮されるので、同時に複数の画像信号の入出力が発生しても、処理効率を向上させることができる。
【０１１６】
また、付加情報画像の管理データを記憶装置内部と外部の両方に保存しておくことにより、管理データを多重化することで保存されたデータの比較が可能となり、付加画像情報の経時的な信頼性を維持することができる。
【図面の簡単な説明】
【０１１７】
【図１】本発明の実施形態に係る画像形成装置を示す概略構成図である。
【図２】図１の画像形成装置の操作部を示す図である。
【図３】図２の操作部の液晶タッチパネルの表示状態を示す図である。
【図４】図１の画像形成装置の制御装置の概略構成を示すブロック図である。
【図５】図４の画像処理ユニットの詳細を示すブロック図である。
【図６】図５のセレクタにおける１ページ分の画像信号の出力の状態を示すタイミングチャートである。
【図７】図５におけるメモリコントローラと画像メモリのシステム構成を詳細に示すブロック図である。
【図８】複数の記憶装置を使用する場合の画像メモリのシステム構成を示すブロック図である。
【図９】画像信号を記憶手段に入力する場合のタイミングチャートである。
【図１０】第１の実施形態における画像入力手段からの画像信号と画像合成手段に記憶された第２の画像信号と合成させた画像信号を記憶手段へ入力する動作順を示すフローチャートである。
【図１１】第１の実施形態における他の処理手順を示すフローチャートで、画像入力手段から入出力可能な全ての解像度の第２の画像信号を入力して記憶装置に保存する動作手順を示す。
【図１２】メモリカード等の外部記憶手段より読み出した画像信号を記憶手段に保存する第２の実施形態における動作手順を示すフローチャートである。
【図１３】メモリカード等の外部記憶手段より読み出した第２の画像信号を記憶手段の第２の記憶部に保存した第２の画像信号を管理するための管理データテーブルと不揮発メモリに保存した第２の画像信号を管理するための管理データテーブルの比較を行う動作の処理手順を示すフローチャートである。
【図１４】図１３の処理において、管理データテーブルとを比較し、一致しない場合の処理手順を示すフローチャートである。
【符号の説明】
【０１１８】
２０  メインコントローラ
３０  操作部
４９  画像処理ユニット（ＩＰＵ）
６３  画像処理部
６５  メモリコントローラ
６６  画像メモリ
６８  ＣＰＵ
６９  ＲＯＭ
７０  ＲＡＭ
６００  記憶装置
６５０  データ入出力制御部
６５１，８０１  入力データセレクタ
６５２  画像合成部
６５３  １次圧縮／伸張部
６５４，８０２  出力データセレクタ
６５５  ２次圧縮／伸張部
６６１  １次記憶装置
６６２  ２次記憶装置
８００ａ  第１の記憶装置
８００ｂ  第２の記憶装置
【図１】
2007055265.tif 000003
【図２】
2007055265.tif 000004
【図３】
2007055265.tif 000005
【図４】
2007055265.tif 000006
【図５】
2007055265.tif 000007
【図６】
2007055265.tif 000008
【図７】
2007055265.tif 000009
【図８】
2007055265.tif 000010
【図９】
2007055265.tif 000011
【図１０】
2007055265.tif 000012
【図１１】
2007055265.tif 000013
【図１２】
2007055265.tif 000014
【図１３】
2007055265.tif 000015
【図１４】
2007055265.tif 000016